(57)【特許請求の範囲】
【請求項１】
本体の天壁、側壁および床壁が断熱壁で形成され、かつ、可動の間仕切り断熱パネルが庫内を複数の空間に区画しており、この間仕切り断熱パネルが前記側壁に沿って平行移動して、区画されている空間の大きさを変更することができる冷却貯蔵庫であって、
前記天壁および側壁の断熱壁は、庫外側面材、庫内側面材および、庫内側面材と庫外側面材との間に配されている断熱材を具備しており、
間仕切り断熱パネルの移動範囲に沿って配置されて、間仕切り断熱パネルの両側の空間に面している庫内側面材の材質が、メッキ鋼板または塗装鋼板からなる他の庫内側面材よりも熱伝導率が小さいことを特徴とする冷却貯蔵庫。
【請求項２】
間仕切り断熱パネルの移動範囲に沿って配置されている庫内側面材がステンレス板であることを特徴とする請求項１記載の冷却貯蔵庫。
【請求項３】
間仕切り断熱パネルの移動範囲に沿って配置されている庫内側面材が樹脂板であることを特徴とする請求項１記載の冷却貯蔵庫。
【発明の詳細な説明】
【０００１】
【発明の属する技術分野】
本発明は、間仕切り断熱パネルで、庫内を複数の空間に仕切り、各空間の設定温度を異ならしめている冷却貯蔵庫に関する。
【０００２】
【従来の技術】
この種の冷却貯蔵庫は、実開昭６３−１６２２８９号公報（Ｆ２５Ｄ２３／０６）などに記載されており、庫内を間仕切り断熱パネルで仕切り、一方の空間を冷凍庫に、他方の空間を冷蔵庫に使用している。この間仕切り断熱パネルは固定されており、冷却貯蔵庫の各空間たとえば冷凍庫や冷蔵庫の容積を変更することができず、貯蔵する物品の量に対応することができなかった。たとえば、冷蔵食品が少なく、冷凍食品が多い場合に、冷蔵庫のスペースを減少させて、冷凍庫のスペースを確保することができなかった。
【０００３】
そこで、冷却貯蔵庫の各空間の容積を変更させるために、間仕切り断熱パネルを移動可能とすることが検討されている。この検討例を図３を用いて説明する。図３は検討した冷却貯蔵庫の要部平断面図である。間仕切り断熱パネル０１は、庫内を、冷凍庫０２と冷蔵庫０３とに仕切っている。また、冷却貯蔵庫のプレハブパネルからなる断熱壁０４の庫内面は、塗装鋼板などからなる庫内板０６で構成されている。そして、冷凍庫０２の冷熱が、この庫内板０６を伝って、冷蔵庫０３側の庫内板０６を冷却し、この冷却された庫内板０６に比較的温度の高い冷蔵庫０３側の空気が接触して結露や氷結を生じることがあるので、断熱壁０４内にヒーター０７が埋め込まれている。このヒーター０７は、断熱壁０４を製造する際に、前もって庫内板０６に取り付けられ、そして、ヒーター０７の取り付け後、庫内板０６と庫外板０８との間に断熱材０９が充填発泡されている。
【０００４】
【発明が解決しようとする課題】
しかしながら、この様に断熱壁０４内にヒーター０７が設けられていると、ヒーター０７の部品代やランニングするための電気代などのコストがかかる。また、ヒーター０７の発熱による冷凍庫０２および冷蔵庫０３の温度上昇を回避するために、冷凍庫０２および冷蔵庫０３を冷却する冷凍機の運転率が増え、ランニングコストが上昇する。
【０００５】
さらに、ヒーター０７は断熱壁０４内に埋め込まれているので、ヒーター０７が断線した際には、ヒーター０７のみを交換することは不可能で、断熱壁０４を構成するプレハブパネル全体を交換する必要がある。したがって、冷却貯蔵庫本体を解体して、断熱壁０４を構成するプレハブパネルを交換しなければならず、ヒーター０７の断線修理の際に、冷却貯蔵庫の運転の停止や冷却貯蔵庫の解体を行う必要がある。その結果、ヒーター０７の断線修理などに、多大の労力や時間を要しており、多大の保守管理コストがかかっている。
【０００６】
本発明は、以上のような課題を解決するためのもので、可動の間仕切り断熱パネルで庫内が複数の空間に仕切られているとともに、ランニングコストや保守管理コストの低い冷却貯蔵庫を提供することを目的とする。
【０００７】
【課題を解決するための手段】
本発明の冷却貯蔵庫（１）は、本体の天壁、側壁および床壁が断熱壁（３）で形成され、かつ、可動の間仕切り断熱パネル（４）が庫内を複数の空間（５，６）に区画しており、この間仕切り断熱パネルが前記側壁に沿って平行移動して、区画されている空間の大きさを変更することができる。そして、天壁および側壁の断熱壁は、庫外側面材（１８）、庫内側面材（１７）および、庫内側面材と庫外側面材との間に配されている断熱材（２０）を具備しており、間仕切り断熱パネルの移動範囲に沿って配置されて、間仕切り断熱パネルの両側の空間に面している庫内側面材（１７ａ）の材質が、メッキ鋼板または塗装鋼板からなる他の庫内板（１７ｂ）よりも熱伝導率が小さくなっている。
【０００８】
また、間仕切り断熱パネルの移動範囲に沿って配置されている庫内側面材がステンレス板である場合がある。
【０００９】
さらに、間仕切り断熱パネルの移動範囲に沿って配置されている庫内側面材が樹脂板である場合がある。
【００１０】
【発明の実施の形態】
次に、本発明における冷却貯蔵庫の実施の一形態を図１および図２を用いて説明する。図１は本発明における冷却貯蔵庫の一部切欠き斜視図である。図２は冷却貯蔵庫の要部平断面図である。
【００１１】
冷却貯蔵庫であるプレハブ冷凍冷蔵庫１の本体である断熱箱体２は、断熱性を有する本体用断熱パネルであるプレハブパネル３を複数連結して構成されており、断熱壁である前壁、後壁、左右側壁の４側壁と、天壁と、床壁とからなっている。プレハブ冷凍冷蔵庫１の庫内は、間仕切り断熱パネル４で２個の空間に仕切られて区画されている。そして、各空間の設定温度は異なり、たとえば、一方すなわち左側の空間が冷蔵庫５となり、他方の空間が冷凍庫６となっている。また、冷蔵庫５および冷凍庫６の内部には、庫内を冷却する冷却装置が各々備えられている。そして、プレハブ冷凍冷蔵庫１の正面には一対の開口部が形成されて、各開口部に断熱扉８，９が開閉自在に設けられており、一方すなわち左側の断熱扉８を開けると、冷蔵庫５に出入りができ、他方の断熱扉９を開けると、冷凍庫６に出入りができる。
【００１２】
つぎに、平板状の断熱板からなる間仕切り断熱パネル４の詳細について説明する。間仕切り断熱パネル４における一方の空間に面している面すなわち冷蔵庫５側の面には、間仕切り断熱パネル４を移動するための把手１１が設けられている。また、冷蔵庫５側の面のサイドには、間仕切り断熱パネル４を固定するための係合部材であるカンヌキ１２が計４個、進退自在に設けられている。なお、図１においては、後側の２個のカンヌキ１２が図示されており、残りの２個のカンヌキ１２は間仕切り断熱パネル４の前側の部分に設けられている。さらに、間仕切り断熱パネル４には、空間に面している両側の面すなわち冷蔵庫５側の面および冷凍庫６側の面のサイドの下部に、車輪支持部材１３が各空間に突出して計４個取り付けて固定されている。この車輪支持部材１３には各々、間仕切り断熱パネル移動用の車輪１４が設けられており、間仕切り断熱パネル４は自立して移動できる。
【００１３】
そして、間仕切り断熱パネル４の端面は、断熱箱体２と間隔を有しており、断熱箱体２との間に隙間が形成されている。また、間仕切り断熱パネル４の端面には、略全周にわたってヒーター１５が取り付けられている。この間仕切り断熱パネル用ヒーター１５は間仕切り断熱パネル４には埋め込まれておらず、間仕切り断熱パネル４の端面の外側にビスまたは接着剤などで後付けされ取り付けられている。このヒーター１５の冷蔵庫５側および冷凍庫６側（すなわち庫内の各空間側）に各々、ヒレ状のパッキン１６が間仕切り断熱パネル４の周縁部の略全周に沿って設けられている。このパッキン１６の先端は断熱箱体２または後述するスノコ２６に達しており、冷蔵庫５と冷凍庫６との間（すなわち庫内の各空間間）の空気の流れを防止している。そして、ヒーター１５はパッキン１６に結露や氷結が発生することを防止している。
【００１４】
また、断熱箱体２の断熱壁を構成するプレハブパネル３は、庫内板である庫内側面材１７と、庫外板である庫外側面材１８とを間隔を有して対向させるとともに、その周縁部を枠材１９で閉じ、両面材１７，１８間の空間にウレタンなどの発泡樹脂からなる断熱材２０が充填発泡されて形成されている。そして、間仕切り断熱パネル４の移動範囲に沿って配置されているプレハブパネル３の庫内側面材１７ａは、樹脂板（たとえば硬質塩化ビニール、ポリスチレン、ＡＢＳ（アクリロニトリルブタジエンスチレン樹脂）、ポリプロピレンなど）またはステンレス板などで形成されている。また、庫内側面材１７ａ以外の面材、すなわちプレハブパネル３の庫外側面材１８および、間仕切り断熱パネル４の移動範囲に沿って配置されていないプレハブパネル３の庫内側面材１７ｂは、たとえば、炭素鋼板の表面に塗装またはメッキを施した塗装鋼板またはメッキ鋼板などで形成されており、間仕切り断熱パネル４の移動範囲に沿って配置されているプレハブパネル３の庫内側面材１７ａの素材よりも、熱伝導率の高いすなわち熱伝導率の良い素材で構成されている。たとえば、塗装鋼板やメッキ鋼板の熱伝導率は、ステンレス板の熱伝導率に比べ約３倍である。
【００１５】
この様なプレハブパネル３を組み立てて構成される断熱箱体２の内面は略平坦であり、間仕切り断熱パネル４の端面に対向する前側および後側のプレハブパネル３には各々、間仕切り断熱パネル４の移動方向に沿って多数の係止凹部２１が上下に２段形成されている。この係止凹部２１は、庫内側の端部が、断熱箱体２の内面に略面一となるように、断熱箱体２の断熱壁であるプレハブパネル３に略埋没した状態で形成されている。そして、前述のカンヌキ１２の先端部が係止凹部２１に進退して係合離脱する。また、間仕切り断熱パネル４の車輪１４の移動範囲に配置されている床壁用プレハブパネル３は、他の床壁用プレハブパネル３よりも上面が一段低く形成されているとともに、その上面にはスノコ２６が設けられている。このスノコ２６はステンレス製または樹脂製で、間仕切り断熱パネル４の移動範囲に沿って配置されているプレハブパネル３の庫内側面材１７ａと同じ材質で形成されている。スノコ２６本体の幅（間仕切り断熱パネル４の移動方向に直角な方向の幅）は、車輪１４間の間隔に略等しく、そして、スノコ２６のサイドには各々、車輪１４が嵌まり込んで案内されるガイド溝２７が細長く形成されている。そして、スノコ２６の上面は、冷気循環用スノコを設置した冷蔵庫５の他の部分の床面および冷凍庫６の他の部分の床面と略同じ高さになるように構成されている。
【００１６】
この様にして構成されているプレハブ冷凍冷蔵庫１は、カンヌキ１２を係止凹部２１から退出させて離脱させた状態で、間仕切り断熱パネル４の把手１１を掴んで引っ張ったり押したりすることにより、間仕切り断熱パネル４を移動させることができる。そして、間仕切り断熱パネル４を移動すると、一方の空間たとえば冷蔵庫５の容積が減少し、他方の空間すなわち冷凍庫６の容積が増大する。この様にして、収納する物品に応じて、空間の容積を変更することができる。そして、間仕切り断熱パネル４を所定の位置に移動すると、カンヌキ１２を係止凹部２１に進出させて係合させ、間仕切り断熱パネル４を固定する。再度、間仕切り断熱パネル４を移動する際には、カンヌキ１２を引っ込めて係止凹部２１から離脱させ、間仕切り断熱パネル４の移動を許容する。
【００１７】
前述のように、間仕切り断熱パネル４の移動範囲に沿って配置されているプレハブパネル３の庫内側面材１７ａ（すなわち庫内板）は、ステンレス板または樹脂板で構成されており、メッキ鋼板または塗装鋼板からなる他の面材１７ｂ，１８（すなわち他の庫内板および庫外板）よりも熱伝導率の小さい材質で形成されている。したがって、冷凍庫６の冷熱が、庫内側面材１７ａを介して、冷蔵庫５側の庫内側面材１７ａに伝達されることが減少する。その結果、冷蔵庫５側の庫内側面材１７ａの温度の低下を阻止でき、この庫内側面材１７ａに、比較的温度の高い冷蔵庫５側の空気が接触して結露や氷結が生じることを防止することができる。この様にして、結露や氷結を防止することができるので、図３の検討例において設けられているプレハブパネル内のヒーター０７を設ける必要がなくなり、部品コスト、ランニングコストや修理コストなどを低減することができる。また、ヒーター０７を設けた場合にも、ヒーター０７への通電量を少なくしたり、ヒーター０７の設置密度を粗にしたりして、ヒーター０７の発熱量を削減して、ランニングコストや部品コストなどを低減することができる。さらに、庫内側面材１７ａ（ステンレス板または樹脂板）と、他の面材１７ｂ，１８（メッキ鋼板または塗装鋼板）とは、色調などが異なっており、施工時の組み立てミスを防止することができる。
【００１８】
そして、他の面材は比較的安価で、かつ加工容易なメッキ鋼板または塗装鋼板で構成されており、冷却貯蔵庫の内面の略全体をステンレス板または樹脂板で構成した場合よりも、製造コストなどを低くすることができる。
【００１９】
また、間仕切り断熱パネル４の端面に取り付けられているヒーター１５は、外付けであり、簡単に取り外しすることができる。したがって、ヒーター１５の断線の際にも簡単に修理や取替えを行うことができる。
【００２０】
以上、本発明の実施の形態を詳述したが、本発明は、前記実施の形態に限定されるものではなく、特許請求の範囲に記載された本発明の要旨の範囲内で、種々の変更を行うことが可能である。本発明の変更例を下記に例示する。
（１）実施の形態においては、冷却貯蔵庫はプレハブ冷凍冷蔵庫であるが、必ずしも、プレハブ構造である必要はない。また、一方の空間が冷蔵庫５で、他方の空間が冷凍庫６であるが、必ずしも、冷凍冷蔵庫に限定されず、たとえば、両空間を設定温度の異なる冷凍庫にすることも可能である。そして、両空間の設定温度を略同じにして使用する事も可能である。さらに、間仕切り断熱パネルを複数設け、空間を３個以上形成することも可能である。また、冷却貯蔵庫を車両などに搭載することも可能である。
（２）間仕切り断熱パネル４に、空間間を出入りするための扉を設けることも可能である。また、間仕切り断熱パネル４に送風機を設け、この送風機で一方の空間から他方の空間に冷気を移動できる構造として、１個の冷却器で複数の空間を冷却することも可能である。
【００２１】
（３）係合部材であるカンヌキ１２、係止凹部２１、ガイド溝２７および車輪支持部材１３の配置および構造は適宜変更可能である。
（４）実施の形態においては、天壁、側壁および床壁を構成するプレハブパネル３の庫内側面材１７ａが、ステンレス板または樹脂板であるが、少なくとも、天壁および側壁の庫内側面材１７ａがステンレス板または樹脂板であれば良い。すなわち、床壁の庫内側面材１７ａもステンレス板または樹脂板で構成することが好ましいが、床壁はステンレス板または樹脂板のスノコ２６で覆われており、床壁のプレハブパネル３を伝って熱が伝達されることは比較的少ないので、安価な塗装鋼板やメッキ鋼板を使用することも可能である。
【００２２】
（５）実施の形態においては、スノコ２６の内部には、ヒーターが設けられていないが、スノコ２６の内部にヒーターを設けることも可能である。
（６）実施の形態においては、ヒーター１５は間仕切り断熱パネル４の端面の略全周に取り付けられているが、少なくとも、間仕切り断熱パネル４のサイドの端面および上端面に設けられているならば、間仕切り断熱パネル４の下端面には必ずしも設ける必要はない。すなわち、スノコ２６の内部にヒーターを配置して、間仕切り断熱パネル４の下端部のパッキン１６の結露や氷結などを防止することができる。
【００２３】
（７）実施の形態においては、断熱材２０は発泡樹脂で形成されているが、断熱することができるならば、その材質や構造等は適宜変更可能である。
（８）間仕切り断熱パネル４の移動範囲に沿って配置されている庫内板である庫内側面材１７ａは、少なくとも間仕切り断熱パネル４の移動範囲内に略配置されているならば、その端部が移動範囲からはみ出していることも可能である。したがって、庫内側面材１７ａは間仕切り断熱パネル４の移動範囲内に略配置されている場合と、間仕切り断熱パネル４の移動範囲およびその隣接部分にわたって配置されている場合がある。また、間仕切り断熱パネル４の移動範囲に沿って配置されている庫内板は１枚の板材で構成したり、また、複数枚の板材で構成したりすることが可能である。
（９）実施の形態においては、断熱壁内にヒーター０７が設けられていないが、ヒーター０７を設けることも可能である。ただし、ヒーター０７を設けない方が、部品コストや管理コストなどをより一層削減することができる。
【００２４】
【発明の効果】
本発明によれば、間仕切り断熱パネルが可動であるので、間仕切り断熱パネルで仕切られた空間の大きさを、収納する物品の量に応じて変更することができる。そして、間仕切り断熱パネルの移動範囲に沿って配置されている断熱壁の庫内側面材たとえばステンレス板または樹脂板の材質が、メッキ鋼板または塗装鋼板からなる他の庫内側面材の材質よりも熱伝導率が小さくなっているので、相対的に温度の低い空間の冷熱が、庫内側面材を伝って、比較的温度の高い空間側の庫内側面材を冷却することが減少する。したがって、比較的温度の高い空間の空気が庫内側面材に接触した際などにおける結露や氷結の発生を防止することができる。その結果、庫内側面材の結露や氷結を防止するために断熱壁内にヒーターを設ける必要が無くなったり、また、ヒーターを設けた場合にもヒーターの発熱量を低くしたりすることができるので、ランニングコストや部品コストなどが低減する。また、間仕切り断熱パネルの移動範囲外の庫内側面材には、比較的熱伝導率の高い材質のものを採用しているので、比較的安価な材料や、加工容易な材料を選択でき、製造コストなどを極力減少させることができる。
【図面の簡単な説明】
【図１】  図１は本発明における冷却貯蔵庫の一部切欠き斜視図である。
【図２】  図２は冷却貯蔵庫の要部平断面図である。
【図３】  図３は検討した冷却貯蔵庫の要部平断面図である。
【符号の説明】
１  プレハブ冷凍冷蔵庫（冷却貯蔵庫）
３  プレハブパネル（断熱壁）
４  間仕切り断熱パネル
５  冷蔵庫（間仕切り断熱パネルで区画された空間）
６  冷凍庫（間仕切り断熱パネルで区画された空間）
１７  庫内側面材（庫内板）
１７ａ  間仕切り断熱パネルの移動範囲に沿って配置されている庫内側面材
１７ｂ  他の庫内側面材
１８  庫外側面材（庫外板）
２０  断熱材
【図１】
0003649884.tif 000002
【図２】
0003649884.tif 000003
【図３】
0003649884.tif 000004